(57)【特許請求の範囲】
【請求項１】
外周に１次巻線及び２次巻線を巻回した中空状の胴部を有するコイルボビンと、該コイルボビンの両端にピン端子を植設した肉厚部と、前記１次巻線及び２次巻線の周囲に装着した鉄心とからなるインバータ用トランスであり、
前記肉厚部の内側に、前記肉厚部の肉厚部分よりも肉薄で、深さが前記鉄心の厚みとほぼ同じの凹段部を形成し、該凹段部面上であって前記肉厚部と胴部との間に前記鉄心を収納する鉄心収納部を設け、かつ前記一方の肉厚部の中央部に、前記凹段部の面と面一になるように切り欠き、前記中空状の胴部に中央脚として機能するＩ型の鉄心を挿通用の鉄心挿入溝部を設け、該鉄心挿入溝部を介し前記Ｉ型鉄心を前記胴部内に挿入・配置し、かつ前記１次、２次巻線を両側から挟み込むようコ字型の鉄心を配置し、これら鉄心の先端部を前記凹段部に配置し前記Ｉ型鉄心の側面に当接し、Ｉ型鉄心とコ字型鉄心の上面は面一をなし、かつ前記ピン端子は前記コイルボビンの長さ方向に沿って突出させたことを特徴とするインバータ用トランス。
【発明の詳細な説明】
【０００１】
【産業上の利用分野】
本発明は、小型のインバータ用トランスに関するものであり、詳しくはインバータ、あるいはＤＣ−ＤＣコンバータ等に用いられ、ワープロ、パソコン等のバックライトに使用されている冷陰極管を駆動させるための小型のトランスであって、より薄型化を図ったものである。
【０００２】
【従来の技術】
従来技術における小型のインバータ用トランス１は、例えば図６に示すように、矩体形状をしたコイルボビン２と、このコイルボビン２に巻装した１次巻線８と２次巻線９Ａ、９Ｂ、９Ｃ、９Ｄと、コイルボビン２の長手両端方向から挿入するＥ字型形状をした一対の鉄心１０と、コイルボビン２の上部から被せて巻線８、９Ａ、９Ｂ、９Ｃ、９Ｄを保護する絶縁樹脂製のカバー１１とから構成されている。
【０００３】
ここで、図６は、インバータ用トランス１を構成する構成部分を分解した全体斜視図である。
【０００４】
コイルボビン２は、中空状の胴部３の両端に、それぞれピン端子４が植設された肉厚部５を有する外側フランジ６Ａ、６Ｂが形成され、胴部３の外周であって外側フランジ６Ａ、６Ｂの間に所定間隔をもって４個の第１〜第４の中間フランジ７Ａ、７Ｂ、７Ｃ、７Ｄが形成されている。
【０００５】
外側フランジ６Ａと第１の中間フランジ７Ａの間には１次巻線８が巻回され、第１の中間フランジ７Ａと第２の中間フランジ７Ｂ、第２の中間フランジ７Ｂと第３の中間フランジ７Ｃ、第３の中間フランジ７Ｃと第４の中間フランジ７Ｄ、第４の中間フランジ７Ｄと外側フランジ、のそれぞれには、例えば、４分割された２次巻線９Ａ、９Ｂ、９Ｃ、９Ｄが巻回された構造となっている。
【０００６】
鉄心１０は、フエライトからなるＥ型形状の一対の鉄心で形成されており、巻回した１次巻線８と２次巻線９Ａ、９Ｂ、９Ｃ、９Ｄを囲むようにしてコイルボビン２の胴部３の中空の両端側からＥ字型の中央の鉄心部分１０ａを挿入し、かつＥ字型の両側の鉄心部分１０ｂ、１０ｃを１次巻線８及び２次巻線９Ａ、９Ｂ、９Ｃ、９Ｄの外側を囲むようにしてつき合わせられる。
【０００７】
このような構造からなるインバータ用トランス１は、インバータ回路、ＤＣ−ＤＣコンバータ回路等に搭載されて所望の高電圧を発生させることができる構造となっている。
【０００８】
【発明が解決しようとする課題】
上記説明したインバータ用トランスは、益々薄形化が要求される傾向にある。しかしながら、従来のものにおいては、ピン端子４を植設すべくそもそも肉厚となっているコイルボビン２の肉厚部５の上部に所定の厚みを有する鉄心１０を単にそのまま積み重ねて配置する構造としているため、高さ寸法が、肉厚部５の厚みに鉄心１０の厚み分を加えたものとなり、薄型化に支障をきたしていた。
【０００９】
この発明は、上記のことに鑑み提案されたもので、その目的とするところは、より薄型化を図ったインバータ用トランスを提供することにある。
【００１０】
【課題を解決するための手段】
上記課題を解決するため、本発明に係るインバータ用トランスは、外周に１次巻線及び２次巻線を巻回した中空状の胴部を有するコイルボビンと、該コイルボビンの両端にピン端子を植設した肉厚部と、前記１次巻線及び２次巻線の周囲に装着した鉄心とからなるインバータ用トランスであり、前記肉厚部の内側に、前記肉厚部の肉厚部分よりも肉薄で、深さが前記鉄心の厚みとほぼ同じの凹段部を形成し、該凹段部面上であって前記肉厚部と胴部との間に前記鉄心を収納する鉄心収納部を設け、かつ前記一方の肉厚部の中央部に、前記凹段部の面と面一になるように切り欠き、前記中空状の胴部に中央脚として機能するＩ型の鉄心を挿通用の鉄心挿入溝部を設け、該鉄心挿入溝部を介し前記Ｉ型鉄心を前記胴部内に挿入・配置し、かつ前記１次、２次巻線を両側から挟み込むようコ字型の鉄心を配置し、これら鉄心の先端部を前記凹段部に配置し前記Ｉ型鉄心の側面に当接し、Ｉ型鉄心とコ字型鉄心の上面は面一をなし、かつ前記ピン端子は前記コイルボビンの長さ方向に沿って突出させたことを特徴としている。
【００１１】
【作用】
上記構成にしたインバータ用トランスは、コイルボビン２２の一方の肉厚部２４Ａを、端子２３が植設された肉厚部分２４ａ’と、この肉厚部分２４ａ’より内側に肉厚部分２４ａ’より肉薄の凹段部２４ａ’’とにて形成し、この凹段部２４ａ’’を鉄心収納部２６Ａとしている。
また、他方の肉厚部２４Ｂも同様としているが、外側の肉厚部分２４ａ’の中央部にＩ型の鉄心３１を凹段部２４ａ’’側へ挿入するための鉄心挿入溝部２７を形成し、この鉄心挿入溝部２７は凹段部２４ａ’’と面一にしている。
そして、鉄心３１、３２の肉厚の一部を凹段部２４ａ’’で吸収し、高さ寸法を稼ぎ、薄型化を達成している。
【００１２】
【実施例】
以下、本発明に係るインバータ用トランスに関する実施例を図面を参照にして詳細に説明する。図１は、コイルボビンに鉄心を装着する要部を示した斜視図で表したものである。
【００１３】
図１に示すように、本発明に係るインバータ用トランス２０は、略長方矩体形状に形成されたコイルボビン２１と、コイルボビン２１に巻装した１次巻線２９と２次巻線３０と、コイルボビン２１の短手方向の一端側から挿入され、中央脚として機能するＩ字状の第１の鉄心３１と、コイルボビン２１の長手方向の両側から挿入され、両脚として機能するコ字状の第２及び第３の鉄心３２、３３と、図示していないが必要に応じコイルボビン２１の上部から被せて１次巻線２９及び２次巻線３０を保護するカバーとから構成されている。
【００１４】
コイルボビン２１は、両端にピン端子２３を植設した所定幅からなる肉厚部分２４ａ’を有する肉厚部２４Ａ、２４Ｂと、この肉厚部２４Ａ、２４Ｂの内側に、肉厚部分２４ａ’、２４ｂ’よりも肉薄であり、かつその肉薄の厚さは鉄心３１、３２、３３とほぼ同じ肉厚で形成した凹段部２４ａ’’、２４ｂ’’と、この凹段部２４ａ’’、２４ｂ’’の中央の位置に設けた中空状の胴部２２と、胴部２２と肉厚部２４Ａ、２４Ｂとの間であって凹段部２４ａ’’、２４ｂ’’面上に設けた鉄心収納部２６Ａ、２６Ｂと、第１の鉄心３１を挿入するために肉厚部２４Ｂの中央部の肉厚部分２４ａを切り欠いた鉄心挿入溝部２７とから構成されている。また、ピン端子２３はコイルボビン２１の長さ方向に沿って突出している。
【００１５】
胴部２２は、凹段部２４ａ’’、２４ｂ’’に設けた鉄心収納部２６Ａ、２６Ｂの間に設けたものであり、鉄心収納部２６Ａ、２６Ｂに連続した端部に外側フランジ２５Ａ、２５Ｂを設けた構造となっている。そして、外側フランジ２５Ａ、２５Ｂの間に所定間隔をもって５個の第１〜第５の中間フランジ２８Ａ、２８Ｂ、２８Ｃ、２８Ｄ、２８Ｅを設けた構造となっている。
【００１６】
外側フランジ２５Ａと第１の中間フランジ２８Ａの間には、１次巻線２９が巻回され、第１の中間フランジ２８Ａと第２の中間フランジ２８Ｂとの間と、第２の中間フランジ２８Ｂと第３の中間フランジ２８Ｃとの間と、第３の中間フランジ２８Ｃと第４の中間フランジ２８Ｄとの間と、第４の中間フランジ２８Ｄと第５の中間フランジ２８Ｅとの間と、第５の中間フランジ２８Ｅと外側フランジ２５Ｂとの間のそれぞれには５分割された２次巻線３０が巻回された構造となっている。
【００１７】
鉄心収納部２６Ａは、肉厚部２４Ａと、胴部２２の外側フランジ２５Ａとの間の凹段部２４ａ’’に設けられており、その幅は鉄心３２、３３の先端部３２ａ、３３ａの幅の大きさに形成され、中央の部分は鉄心３１の短手方向の幅の広さからなる。
【００１８】
鉄心収納部２６Ｂは、鉄心収納部２６Ａと同じ構造となっており、肉厚部２４Ｂと、胴部２２の外側フランジ２５Ｂとの間の凹段部２４ｂ’’に設けられており、その幅は鉄心３２、３３の先端部３２ｂ、３３ｂの幅の大きさに形成され、中央の部分は鉄心３１の短手方向の幅の広さからなる。
【００１９】
鉄心挿入溝部２７は、肉厚部２４Ｂの中央部にＩ型をした第１の鉄心３１を凹段部２４ｂ’’、ひいては胴部２２内の中空部側に挿入する溝であり、凹段部２４ｂ’’と面一に形成されている。
【００２０】
第１の鉄心３１は、フエ ライトからなる平板の棒状に形成され、その長さは胴部２２の中空を挿通して、凹段部２４ａ’’、２４ｂ’’上の鉄心収納部２６Ａ、２６Ｂの両側に納まる長さからなる。
【００２１】
第２及び第３の鉄心３２、３３は、コ字型形状のフエ ライトで形成され、凹段部２４ａ’’、２４ｂ’’上の鉄心収納部２６Ａ、２６Ｂに、長手方向の両側から１次巻線２９と２次巻線３０を挟み込むようにしてコ字型形状をした両側の先端部３２ａ、３２ｂ、３３ａ、３３ｂを第１の鉄心３１の長手方向の側面に当接した状態にして位置決めして配置する構造となっている。
【００２２】
このような構造をした第１、第２及び第３の鉄心３１、３２、３３を用いたインバータ用トランス２０の組み立てについて図２〜図５を用いて説明する。
【００２３】
図２は、図１と同じくコイルボビン２１に鉄心３１、３２、３３を装着するようすを示した平面図であり、図３はコイルボビン２１に鉄心３１、３２、３３を装着後に接着した様子を示した平面図であり、図４は、コイルボビン２１に鉄心３１、３２、３３を装着した長手方向の横側面からの断面図であり、図５は短手方向からの横側面からの断面図である。
【００２４】
図２に示すように、先ずコイルボビン２１の外側フランジ２５Ａと第１の中間フランジ２８Ａの間にコイルを巻回して１次巻線（破線の部分）２９を形成する。
次に、第１の中間フランジ２８Ａと第２の中間フランジ２８Ｂの間、第２の中間フランジ２８Ｂと第３の中間フランジ２８Ｃの間、第３の中間フランジ２８Ｃと第４の中間フランジ２８Ｄの間、第４の中間フランジ２８Ｄと第５の中間フランジ２８Ｅの間、第５の中間フランジ２８Ｅと外側フランジ２５Ｂの間の順にコイルを巻回して２次巻線（破線の部分）３０を分割して形成する。
【００２５】
次に、図２〜図５に示すように、巻いた１次巻線２９及び２次巻線３０の上部からカバー３４を被せて１次巻線２９及び２次巻線３０を保護する。
【００２６】
この状態において、図２に示すように、コイルボビン２１の短手方向の一端部の肉厚部２４Ｂの中央部を切り欠いて形成した凹段部２４ｂ’’と面一の鉄心挿入溝部２７に第１の鉄心３１をその端部から矢印で示す方向に挿入して、胴部２２の中空部分を通過し他端側の鉄心収納部２６Ｂを介して肉厚部２４Ａの段部に当接した状態とする。そして、第２の鉄心３２及び第３の鉄心３３をコイルボビン２１の長手方向の両側面からコ字型形状をした両側の先端部３２ａ、３２ｂ、３３ａ、３３ｂを鉄心収納部２６Ａ、２６Ｂに挿入して第１の鉄心３１の側面に当接させる。
【００２７】
この状態、即ち、第１、第２及び第３の鉄心３１、３２、３３を接合した状態で、図３に示すように、第１の鉄心３１と、第２及び第３の鉄心３２、３３との接合部分を接着剤３５により接合する。このようにして、コイルボビン２１に組み立てた時に、鉄心３１、３２、３３の高さは肉厚部２４Ａ、２４Ｂとほぼ面一となる。即ち、鉄心３１、３２、３３の肉厚を凹段部２４ａ’’、２４ｂ’’でほぼ吸収し、高さ寸法を稼ぎ、薄型化を達成して、１次巻線２９及び２次巻線３０の周囲を囲んだ鉄心を形成することができるのである。
【００２８】
以上説明したように、本発明に係るインバータ用トランス２０は、肉厚部２４Ａ、２４Ｂの内側に、肉厚部２４Ａ、２４Ｂの肉厚部分２４ａ’、２４ｂ’よりも肉薄の凹段部２４ａ’’、２４ｂ’’で形成し、この凹段部２４ａ’’、２４ｂ’’面上であって肉厚部２４Ａ、２４Ｂと胴部２２との間に鉄心３１、３２、３３を収納する鉄心収納部２６Ａ、２６Ｂを設け、かつ一方の肉厚部２４Ｂの中央部を、凹段部２４ａ’’、２４ｂ’’の面と面一になるように切り欠き、鉄心挿入溝部２７を設けた構造にし、コイルボビン２１の長さ方向に沿って突出したピン端子２３が植設された部分の肉厚部分２４ａ’、２４ｂ’はそのままとして、鉄心３１、３２、３３が装着する部分の高さ寸法を凹段部２４ａ’’、２４ｂ’’によりほぼ吸収して、薄型化が図れると云う極めて優れた効果を奏する。
【図面の簡単な説明】
【図１】本発明に係るインバータ用トランスの鉄心を組み立てる要部を示した斜視図である。
【図２】同鉄心の組み立てを示す平面図である。
【図３】同鉄心を組み立てた状態を示す平面図である。
【図４】同図３のＡ−Ａ線断面図である。
【図５】同図３のＢ−Ｂ線断面図である。
【図６】従来技術におけるインバータ用トランスの全体構成の分解斜視図である。
【符号の説明】
２０    インバータ用トランス
２１    コイルボビン
２２    胴部
２３    ピン端子
２４ａ’、２４ｂ’  肉厚部分
２４ａ’’、２４ｂ’’  凹段部
２４Ａ、２４Ｂ  肉厚部
２５Ａ、２５Ｂ  外側フランジ
２６Ａ、２６Ｂ  鉄心収納部
２７    鉄心挿入溝部
２８Ａ  第１の中間フランジ
２８Ｂ  第２の中間フランジ
２８Ｃ  第３の中間フランジ
２８Ｄ  第４の中間フランジ
２８Ｅ  第５の中間フランジ
２９    １次巻線
３０    ２次巻線
３１    第１の鉄心
３２    第２の鉄心
３２ａ、３２ｂ  先端部
３３    第３の鉄心
３３ａ、３３ｂ  先端部
３４    カバー
３５    接着剤
【図１】
0003865796.tif 000002
【図２】
0003865796.tif 000003
【図３】
0003865796.tif 000004
【図４】
0003865796.tif 000005
【図５】
0003865796.tif 000006
【図６】
0003865796.tif 000007